(57)【要約】【課題】簡易な操作で画面を拡大又は縮小できるようにすることを目的とする。【解決手段】携帯電話機１は、画面を表示すると共に所定の入力を受け付けるタッチパネル１１と、タッチパネル１１に対する物理的な一の接触の始点及び終点を検出する検出部１２と、検出結果に基づいて接触の移動方向を算出し、移動方向が所定の第１の範囲内であればタッチパネル１１に表示されている画面を拡大表示し、該移動方向が該第１の範囲とは異なる所定の第２の範囲内であれば該画面を縮小表示する表示制御部１３と、を備える。【選択図】図１
2011186734.tif 000002
【特許請求の範囲】
【請求項１】
画面を表示すると共に所定の入力を受け付けるタッチパネルと、
前記タッチパネルに対する物理的な一の接触の始点及び終点を検出する検出手段と、
前記検出手段による検出結果に基づいて前記接触の移動方向を算出し、該移動方向が所定の第１の範囲内であれば前記タッチパネルに表示されている画面を拡大表示し、該移動方向が該第１の範囲とは異なる所定の第２の範囲内であれば該画面を縮小表示する表示制御手段と、
を備える表示装置。
【請求項２】
前記第１の範囲が、前記始点の周囲を３以上に分割した際の一の区画であり、前記第２の範囲が、当該一の区画とは異なる別の区画である、
請求項１に記載の表示装置。
【請求項３】
前記第１の範囲が、前記始点の周囲を８分割した際の一の区画であり、前記第２の範囲が、当該一の区画とは異なる別の区画であり、
前記一の区画及び前記別の区画がそれぞれ、前記画面に対して前記始点から斜め方向に延びており、
前記別の区画の少なくとも一部が前記一の区画と対向している、
請求項２に記載の表示装置。
【請求項４】
前記表示制御手段が、前記移動方向が前記第１及び第２の範囲外であれば前記画面を該移動方向にスクロールする、
請求項２又は３に記載の表示装置。
【請求項５】
前記表示制御手段が、前記検出手段による検出結果に基づいて更に前記接触の移動速度を算出し、該移動速度が所定の閾値以上であり且つ前記移動方向が前記第１の範囲内であれば前記タッチパネルに表示されている画面を拡大表示し、該移動速度が該閾値以上であり且つ該移動方向が前記第２の範囲内であれば該画面を縮小表示する、
請求項１に記載の表示装置。
【請求項６】
前記表示制御手段が、前記移動速度が前記閾値未満であれば前記画面を前記移動方向にスクロールする、
請求項５に記載の表示装置。
【請求項７】
画面を表示すると共に所定の入力を受け付けるタッチパネルを備える表示装置により実行される画面表示方法であって、
前記タッチパネルに対する物理的な一の接触の始点及び終点を検出する検出ステップと、
前記検出ステップにおける検出結果に基づいて前記接触の移動方向を算出し、該移動方向が所定の第１の範囲内であれば前記タッチパネルに表示されている画面を拡大表示し、該移動方向が該第１の範囲とは異なる所定の第２の範囲内であれば該画面を縮小表示する表示制御ステップと、
を含むことを特徴とする画面表示方法。
【発明の詳細な説明】
【技術分野】
【０００１】
本発明は表示装置及びその画面表示方法に関する。
【背景技術】
【０００２】
従来から様々な表示装置が知られている。例えば下記特許文献１には、一対のタッチパネルにおける入力の組合せに応じて生成された制御信号に基づいて拡大縮小などの表示処理を行う情報表示装置が記載されている。
【先行技術文献】
【特許文献】
【０００３】
【特許文献１】特開２００９−２２３４２６号公報
【発明の概要】
【発明が解決しようとする課題】
【０００４】
しかしながら、上記特許文献１に記載の装置では、画面を拡大又は縮小するために二つのタッチパネルに対して操作を行う必要があり、必ずしもユーザに使い易いインタフェースとはいえない。
【０００５】
そこで本発明は、簡易な操作で画面の拡大又は縮小をすることが可能な表示装置及び画面表示方法を提供することを目的とする。
【課題を解決するための手段】
【０００６】
本発明の表示装置は、画面を表示すると共に所定の入力を受け付けるタッチパネルと、タッチパネルに対する物理的な一の接触の始点及び終点を検出する検出手段と、検出手段による検出結果に基づいて接触の移動方向を算出し、該移動方向が所定の第１の範囲内であればタッチパネルに表示されている画面を拡大表示し、該移動方向が該第１の範囲とは異なる所定の第２の範囲内であれば該画面を縮小表示する表示制御手段と、を備える。
【０００７】
本発明の画面表示方法は、画面を表示すると共に所定の入力を受け付けるタッチパネルを備える表示装置により実行される画面表示方法であって、タッチパネルに対する物理的な一の接触の始点及び終点を検出する検出ステップと、検出ステップにおける検出結果に基づいて接触の移動方向を算出し、該移動方向が所定の第１の範囲内であればタッチパネルに表示されている画面を拡大表示し、該移動方向が該第１の範囲とは異なる所定の第２の範囲内であれば該画面を縮小表示する表示制御ステップと、を含むことを特徴とする。
【０００８】
このような発明によれば、タッチパネルに対する一の接触の移動方向が算出され、その方向が所定の範囲内にあるか否かにより画面が拡大又は縮小して表示される。したがって、ユーザは指やポンティングデバイスなどによりタッチパネルの一点に触れてその指あるいはデバイスを所定の方向に動かしさえすれば、画面を拡大又は縮小することができる。すなわち、ユーザは簡易な操作で画面の拡大又は縮小することができる。
【０００９】
本発明の表示装置では、第１の範囲が、始点の周囲を３以上に分割した際の一の区画であり、第２の範囲が、当該一の区画とは異なる別の区画であってもよい。
【００１０】
この場合には、タッチパネルの一部の範囲（区画）において接触及びその移動操作が行われた場合に限って画面が拡大又は縮小される。したがって、その範囲（区画）をユーザの直感的な操作に合わせて適切に設定することで、使い勝手の良い表示装置を提供することができる。
【００１１】
本発明の表示装置では、第１の範囲が、始点の周囲を８分割した際の一の区画であり、第２の範囲が、当該一の区画とは異なる別の区画であり、一の区画及び別の区画がそれぞれ、画面に対して始点から斜め方向に延びており、別の区画の少なくとも一部が一の区画と対向していてもよい。
【００１２】
この場合には、接触の始点を基点として、互いに対向する斜め方向の範囲（区画）において接触及びその移動操作が行われた場合に限って画面が拡大又は縮小される。これは、二次元の画面に対して斜めに投影された三次元座標のＺ軸（タッチパネルと直交する軸）を拡縮方向と見立てることで、ユーザが直感的に拡縮操作をできるようにすることを意図している。このように範囲（区画）を設定することで、使い勝手の良い表示装置を提供することができる。
【００１３】
本発明の表示装置では、表示制御手段が、移動方向が第１及び第２の範囲外であれば画面を該移動方向にスクロールしてもよい。
【００１４】
この場合には、タッチパネル上を特定の方向になぞった場合には画面を拡大又は縮小し、それ以外の方向になぞった場合には画面をスクロールするインタフェースを、ユーザに提供することができる。
【００１５】
本発明の表示装置では、表示制御手段が、検出手段による検出結果に基づいて更に接触の移動速度を算出し、該移動速度が所定の閾値以上であり且つ移動方向が第１の範囲内であればタッチパネルに表示されている画面を拡大表示し、該移動速度が該閾値以上であり且つ該移動方向が第２の範囲内であれば該画面を縮小表示してもよい。
【００１６】
この場合には、タッチパネルをなぞる操作が第１又は第２の範囲において一定以上の速さで行われた場合に初めて画面が拡大又は縮小されるので、なぞる操作が当該範囲内においてその速さよりも遅く行われた場合の処理を別途設定することが可能になる。
【００１７】
本発明の表示装置では、表示制御手段が、移動速度が閾値未満であれば画面を移動方向にスクロールしてもよい。
【００１８】
この場合には、タッチパネル上を特定の方向に特定の速さでなぞった場合には画面を拡大又は縮小し、その速さよりも遅くなぞった場合には、画面をなぞった方向が第１又は第２の範囲の中か外かに関係なくその方向に画面をスクロールするインタフェースを、ユーザに提供することができる。
【発明の効果】
【００１９】
このような表示装置及び画面表示方法によれば、タッチパネルに対する一の接触の移動方向に基づいて画面が拡大又は縮小して表示されるので、ユーザは簡易な操作で画面の拡大又は縮小することができる。
【図面の簡単な説明】
【００２０】
【図１】第１実施形態に係る携帯電話機の機能構成を示すブロック図である。
【図２】図１に示す携帯電話機のハードウェア構成を示す図である。
【図３】画面拡縮処理の要否に用いる判定用マップの例を示す図である。
【図４】図１に示すタッチパネルに判定用マップを適用した例を示す図である。
【図５】図１に示す携帯電話機の処理を示すフローチャートである。
【図６】図３に示す判定用マップの設定の根拠を説明するための図である。
【図７】第２実施形態に係る携帯電話機の機能構成を示すブロック図である。
【図８】画面拡縮処理の要否に用いる判定用マップの例を示す図である。
【図９】図７に示す携帯電話機の処理を示すフローチャートである。
【発明を実施するための形態】
【００２１】
以下、添付図面を参照しながら本発明の実施形態を詳細に説明する。本実施形態では、本発明に係る表示装置を携帯電話機に適用する。なお、図面の説明において同一又は同等の要素には同一の符号を付し、重複する説明を省略する。
【００２２】
（第１実施形態）
まず、図１〜４を用いて、第１実施形態に係る携帯電話機１の機能及び構成を説明する。携帯電話機１は、通話機能やメール機能、ウェブブラウザ機能などを備える通信端末である。図１に示すように、携帯電話機１は機能的構成要素としてタッチパネル１１、検出部１２及び表示制御部１３を備えている。
【００２３】
この携帯電話機１は、図２に示すように、オペレーティングシステムやアプリケーション・プログラムなどを実行するＣＰＵ１０１と、ＲＯＭ及びＲＡＭで構成される主記憶部１０２と、メモリなどで構成される補助記憶部１０３と、データ通信を行う通信制御部１０４と、タッチパネル式のモニタなどで構成される表示部１０５と、入力キーなどで構成される操作部１０６とで構成される。図１に示す各機能は、ＣＰＵ１０１及び主記憶部１０２の上に所定のプログラムを読み込ませ、ＣＰＵ１０１の制御の下で通信制御部１０４、表示部１０５及び操作部１０６を動作させるとともに、主記憶部１０２や補助記憶部１０３に対してデータの読み出し又は書き込みを行うことで実現される。データベースや処理に必要なデータは主記憶部１０２または補助記憶部１０３内に格納されている。
【００２４】
図１に戻って、タッチパネル１１は、データの表示と、ユーザの指やタッチペンなどの接触による入力の受付とを実行する手段である。タッチパネル１１は、ユーザの指示などに基づいて読み出されたデータを表示する。
【００２５】
検出部１２は、タッチパネル１１に対する物理的な一の接触の始点及び終点を検出する手段である。接触位置を検知する方式は限定されないが、例えば抵抗皮膜方式、表面弾性波方式、静電容量方式などの周知技術を用いることが考えられる。ユーザの指やタッチペンなどがタッチパネル１１に触れている間、検出部１２は接触位置を示す接触位置データを生成して表示制御部１３に逐次出力する。なお、接触位置データは押圧された点又は面を示すデータである。
【００２６】
表示制御部１３は、検出部１２による検出結果に基づいて接触の移動方向を算出し、タッチパネル１１に表示されている画面をその移動方向に基づいて拡大又は縮小する手段である。
【００２７】
検出部１２から最初の接触位置データが入力されると、表示制御部１３はそのデータに基づいて、タッチパネル１１に最初に指あるいはタッチペンが触れた位置を始点として保持する。その後、表示制御部１３は更なる接触位置データの入力を監視し、最後の接触位置データが入力されると、タッチパネル１１から指あるいはタッチペンが離れた位置を終点として保持する。
【００２８】
続いて、表示制御部１３は始点から終点へと延びるベクトルを、タッチパネル１１上での指またはタッチペンの移動方向として求める。続いて、表示制御部１３は、タッチパネル１１に表示されている画面を拡大または縮小するかを、その移動方向に基づいて決定する。
【００２９】
このために表示制御部１３は、画面拡縮処理の対象となる移動方向の範囲を示す範囲データを予め内部に保持している。範囲データにより表される判定用マップを図３に示す。図３の判定用マップは、始点Ｐｓを原点とする二次元座標において当該始点Ｐｓの周囲を８分割した上で、当該位置Ｐｓからの移動方向がＸ軸から角度α１〜α２だけ傾いた区画Ｒａにあれば画像を拡大し、当該位置Ｐｓからの移動方向がＸ軸から角度β１〜Ｂ２だけ傾いた区画Ｒｂにあれば画像を縮小することを示している。図３の例では、区画Ｒａ，Ｒｂは対向している。以下では、区画Ｒａのような範囲を「拡大操作範囲」といい、区画Ｒｂのような範囲を「縮小操作範囲」という。
【００３０】
なお、拡大操作範囲や縮小操作範囲の設定は図３の例に限定されない。例えば図３における区画Ｒａを縮小操作範囲とし、区画Ｒｂを拡大操作範囲としてもよい。また、それら二つの範囲の間で中心角を異ならせてもよいし、これら二つの範囲を完全に、あるいは全く対向させなくてもよい。更に、始点Ｐｓの周囲を３以上の任意の数に分割した際の二つの区画を拡大操作範囲および縮小操作範囲としてもよい。図３の例では角度α１，α２，β１，β２を用いて各操作範囲を規定することが考えられるが、操作範囲の規定方法も任意である。
【００３１】
表示制御部１３は、求めた移動方向を図３のような範囲データ（判定用マップ）に当てはめることで、表示中の画面を拡大するのか縮小するのか、あるいは画面を拡縮することなく単にスクロールするのかを決定する。この決定処理の例を図４に示す。図４における黒丸Ｐｓは始点であり、各白丸は終点の例を示し、ベクトルＶ１〜Ｖ７は始点及び終点により定まる移動方向である。図４に示す判定用マップは図３に示すものと同じである。図４の例では、表示制御部１３は、移動方向がＶ１やＶ２であれば画面を縮小すると決定し、Ｖ３やＶ４であれば画面を拡大すると決定し、それ以外（例えばＶ５〜Ｖ７）であれば画面を単にその移動方向にスクロールすると決定する。
【００３２】
続いて、表示制御部１３は決定した内容に基づいて、タッチパネル１１に表示されている画面を拡大、縮小、あるいはスクロールする。画面を拡大又は縮小する際には、表示制御部１３はスクロール処理を行わない。なお、拡大率や縮小率は任意に定めてよい。
【００３３】
次に、図５を用いて、図１に示す携帯電話機１の動作を説明するとともに本実施形態に係る画面表示方法について説明する。なお、以下の説明は、タッチパネル１１には何らかの画面が既に表示されていることを前提とする。
【００３４】
ユーザが指やタッチペンなどによりタッチパネル１１上をなぞる操作を行うと、検出部１２がその指あるいはタッチペンの接触位置を検出する（ステップＳ１１、検出ステップ）。検出される接触位置には操作の始点及び終点が含まれる。
【００３５】
続いて、表示制御部１３が検出結果に基づいて接触の移動方向を算出し（ステップＳ１２）、その移動方向と範囲データとを比較して画面拡縮の要否を判定する（ステップＳ１３）。このとき表示制御部１３は、移動方向が拡大操作範囲内にあれば（ステップＳ１４，Ｓ１５共にＹＥＳ）表示中の画面を拡大し（ステップＳ１６）、縮小操作範囲内にあれば（ステップＳ１４；ＹＥＳ、且つステップＳ１５；ＮＯ）当該画面を縮小する（ステップＳ１７）。以上に対して、移動方向がそれら二つの操作範囲のどちらにも入っていなければ（ステップＳ１４；ＮＯ）、表示制御部１３は画面を拡縮することなく単にスクロールする（ステップＳ１８）。したがって、ステップＳ１２〜Ｓ１８は表示制御ステップといえる。
【００３６】
以上説明したように、本実施形態によれば、タッチパネル１１に対する一の接触の移動方向が算出され、その方向が所定の範囲内にあるか否かにより画面が拡大又は縮小して表示される。したがって、ユーザは指やポンティングデバイスなどによりタッチパネル１１の一点に触れてその指あるいはデバイスを所定の方向に動かしさえすれば、画面を拡大又は縮小することができる。すなわち、ユーザは簡易な操作で画面の拡大又は縮小することができる。
【００３７】
具体的には、接触の始点を基点として、互いに対向する斜め方向の範囲（図３，４に示す区画Ｒａ，Ｒｂ）において接触及びその移動操作が行われた場合に限って画面が拡大又は縮小される。これは、図６に示すように、二次元の画面に対して斜めに投影された三次元座標のＺ軸（タッチパネルと直交する軸）を拡縮方向と見立てることで、ユーザが直感的に拡縮操作をできるようにすることを意図している。なお、図６は図３の座標にＺ軸を追加したものであり、区画Ｒａ，Ｒｂの設定は図３と同じである。例えば、区画Ｒａ，Ｒｂをそれぞれ拡大操作範囲、縮小操作範囲とすれば、画面がＺ軸方向に沿って接近してくるイメージと拡大処理とを対応付け、画面がＺ軸方向に沿って遠ざかるイメージと縮小処理とを対応付けることができる。このように範囲（区画）を設定することで、ユーザが直感的に画面を拡縮することを可能とする、使い勝手の良い表示装置を提供することができる。
【００３８】
また本実施形態によれば、タッチパネル１１上を特定の方向（区画Ｒａ，Ｒｂの方向）になぞった場合には画面を拡大又は縮小し、それ以外の方向になぞった場合には画面をスクロールするインタフェースを、ユーザに提供することができる。
【００３９】
なお、第１実施形態では、移動方向が拡大操作範囲および縮小操作範囲の外にある場合には表示制御部１３はスクロール処理を実行したが、このスクロール処理は行なわなくてもよい。
【００４０】
（第２実施形態）
次に、図７，８を用いて、第２実施形態に係る携帯電話機２の機能及び構成を説明する。携帯電話機２は、第１実施形態における表示制御部１３に代えて表示制御部１３Ａを備えている。本実施形態の他の構成は、第１実施形態と同じなので、説明を省略する。また、携帯電話機２のハードウェア構成や当該ハードウェア構成による各機能的構成要素の実現方法も第１実施形態と同様なので、その説明も省略する。
【００４１】
表示制御部１３Ａは、検出部１２による検出結果に基づいて接触の移動方向及び移動速度を算出し、タッチパネル１１に表示されている画面をその移動方向及び移動速度に基づいて拡大又は縮小する手段である。
【００４２】
検出部１２から最初の接触位置データが入力されると、表示制御部１３Ａはそのデータに基づいて、タッチパネル１１に最初に指あるいはタッチペンが触れた位置を始点として保持する。また、表示制御部１３Ａは移動速度を求めるために時間の計測を開始する。その後、表示制御部１３Ａは更なる接触位置データの入力を監視し、最後の接触位置データが入力されると、タッチパネル１１から指あるいはタッチペンが離れた位置を終点として保持する。また、表示制御部１３Ａは最初の接触位置データが入力されてから最後の接触位置データが入力されるまでの時間を移動時間として取得する。
【００４３】
続いて、表示制御部１３Ａは始点から終点へと延びるベクトルを、タッチパネル１１上での指またはタッチペンの移動方向として求める。また、表示制御部１３Ａはそのベクトルの長さを移動時間で割ることで、タッチパネル１１上での指又はタッチペンの移動速度を求める。
【００４４】
続いて、表示制御部１３Ａは、タッチパネル１１に表示されている画面を拡大または縮小するかを、それら移動方向及び移動速度に基づいて決定する。
【００４５】
このために表示制御部１３Ａは、画面拡縮処理の対象となる移動方向の範囲を示す範囲データを予め内部に保持している。範囲データにより表される判定用マップを図８に示す。図８の判定用マップは、始点Ｐｓを原点とする二次元座標において、関数ｙ＝−ｘで規定される直線を境に当該始点Ｐｓの周囲を２分割して成る区画Ｒｃ，Ｒｄで構成されている。区画Ｒｃが拡大操作範囲であり、区画Ｒｄが縮小操作範囲である。
【００４６】
なお、拡大操作範囲や縮小操作範囲の設定は図８の例に限定されない。例えば図８における区画Ｒｃを縮小操作範囲とし、区画Ｒｂを拡大操作範囲としてもよい。また、図８の座標の第１象限を縮小（拡大）操作範囲とし、第３象限を拡大（縮小）操作範囲としてもよく、あるいは、図３のようにこれら二つの範囲を設定してもよい。更に、それら二つの範囲の大きさを異ならせてもよいし、当該二つの範囲を完全に対向させなくてもよい。
【００４７】
上記のような範囲データに加えて、表示制御部１３Ａは移動速度に関する閾値Ｔを予め内部に保持している。この閾値Ｔは、携帯電話機２のユーザがタッチパネル１１上でドラッグ操作を行ったかフリック操作を行ったかを判定するための基準値である。ここで、ドラッグ操作とはタッチパネル１１をなぞる操作のことをいい、フリック操作とは、タッチパネル１１を軽くはらう操作のことをいう。本実施形態では、ドラッグ操作のときよりもフリック操作のときの方が、ユーザが指やタッチペンなどを速く動かすことを前提としている。
【００４８】
表示制御部１３Ａは、求めた移動方向を図８のような範囲データ（判定用マップ）に当てはめると共に、求めた移動速度を閾値と比較することで、表示中の画面を拡大するのか縮小するのか、あるいは画面を拡縮することなく単にスクロールするのかを決定する。図８の判定用マップを前提として、表示制御部１３Ａは、移動方向が区画Ｒｃの範囲内であり且つ移動速度が閾値Ｔ以上であれば、画面を拡大すると決定し、移動方向が区画Ｒｄの範囲内であり且つ移動速度が閾値Ｔ以上であれば、画面を縮小すると決定する。これに対して、移動速度が閾値Ｔ未満であれば、表示制御部１３Ａは画面を単に移動方向にスクロールすると決定する。すなわち、表示制御部１３Ａは、フリック操作が行われたならばその方向に応じて画面を拡大又は縮小し、ドラッグ操作が行われたならばその方向に画面をスクロールする。
【００４９】
続いて、表示制御部１３Ａは決定した内容に基づいて、タッチパネル１１に表示されている画面を拡大、縮小、あるいはスクロールする。画面を拡大又は縮小する際には、表示制御部１３Ａはスクロール処理を行わない。なお、拡大率や縮小率は任意に定めてよい。
【００５０】
次に、図９を用いて、図７に示す携帯電話機２の動作を説明するとともに本実施形態に係る画面表示方法について説明する。ここでも、タッチパネル１１には何らかの画面が既に表示されていることを前提とする。
【００５１】
ユーザが指やタッチペンなどによりドラッグ操作又はフリック操作を行うと、検出部１２がその指あるいはタッチペンの接触位置を検出する（ステップＳ２１、検出ステップ）。検出される接触位置には操作の始点及び終点が含まれる。
【００５２】
続いて、表示制御部１３Ａが、検出結果に基づいて接触の移動方向を算出する（ステップＳ２２）。また、表示制御部１３Ａは、始点から終点までの移動時間を取得した上で（ステップＳ２３）、接触の移動速度を算出する（ステップＳ２４）。続いて、表示制御部１３Ａはその移動方向および移動速度に基づいて画面拡縮の要否を判定する（ステップＳ２５）。
【００５３】
表示制御部１３Ａは、移動速度が閾値Ｔ以上であり、且つ移動方向が拡大操作範囲内にあれば（ステップＳ２６，Ｓ２７共にＹＥＳ）表示中の画面を拡大する（ステップＳ２８）。一方、移動速度が閾値Ｔ以上であり、且つ移動方向が縮小操作範囲内にあれば（ステップＳ２６；ＹＥＳ、且つステップＳ２７；ＮＯ）、表示制御部１３Ａは表示中の画面を縮小する（ステップＳ２９）。以上に対して、移動速度が閾値Ｔ未満であれば（ステップＳ２６；ＮＯ）、表示制御部１３Ａは画面を拡縮することなく単にスクロールする（ステップＳ３０）。したがって、ステップＳ２２〜Ｓ３０は表示制御ステップといえる。
【００５４】
以上説明したように、本実施形態によれば、タッチパネル１１をなぞる操作が区画Ｒｃ又はＲｄの範囲において閾値Ｔ以上の速さで行われた場合に初めて画面が拡大又は縮小されるので、ユーザは簡易な操作で画面の拡大又は縮小することができる。
【００５５】
また本実施形態によれば、タッチパネル１１上を特定の方向（区画Ｒｃ，Ｒｄ）に閾値Ｔ以上の速さでなぞった場合には画面を拡大又は縮小し、その速さよりも遅くなぞった場合には、画面をなぞった方向が区画Ｒｃ，Ｒｄの中か外かに関係なくその方向に画面をスクロールするインタフェースを、ユーザに提供することができる。
【００５６】
なお、第２実施形態では、移動速度が閾値Ｔ未満である場合には表示制御部１３Ａはスクロール処理を実行したが、このスクロール処理は行なわなくてもよい。
【００５７】
以上、本発明をその実施形態に基づいて詳細に説明した。しかし、本発明は上記実施形態に限定されるものではない。本発明は、その要旨を逸脱しない範囲で様々な変形が可能である。
【００５８】
上記実施形態では携帯電話機に本発明を適用したが、携帯情報端末（ＰＤＡ）や、携帯型又は据置型のパーソナルコンピュータ、あるいはその他の情報処理端末などに本発明を適用してもよい。なお、通信機能の有無は問わない。
【符号の説明】
【００５９】
１，２…携帯電話機（表示装置）、１１…タッチパネル、１２…検出部（検出手段）、１３，１３Ａ…表示制御部（表示制御手段）。
【図１】
2011186734.tif 000003
【図２】
2011186734.tif 000004
【図３】
2011186734.tif 000005
【図４】
2011186734.tif 000006
【図５】
2011186734.tif 000007
【図６】
2011186734.tif 000008
【図７】
2011186734.tif 000009
【図８】
2011186734.tif 000010
【図９】
2011186734.tif 000011